(57)【要約】【課題】  屋内・屋外を問わず人通りのあるスペース（例えば、街路や通路など）に設置し、当該スペースをプロモーションスポット化することにある。【解決手段】  プロモーションマシン１０は、広告の掲載可能な外装部２０と、フリーペーパーやサンプルなどの配布物を展示する展示部３０と、展示されている配布物を提供する配布物提供手段とを備える。そして、配布物提供手段は、利用者がその提供を希望する配布物を選択する選択部４０（選択ボタン）と、選択部４０（選択ボタン）によって選択された配布物を取出口４５まで搬送する搬送部（図示省略）と、搬送された配布物を利用者が取り出すための取出口４５とを備える。【選択図】  図１
2007093841.tif 000002
【特許請求の範囲】
【請求項１】
屋内・屋外を問わず人通りのあるスペースに設置し、当該スペースをプロモーションスポット化するプロモーションマシンであって、
広告の掲載可能な外装部と、
配布物を展示する展示部と、
展示されている配布物を提供する配布物提供手段とを備えたプロモーションマシン。
【請求項２】
配布物提供手段は、利用者がその提供を希望する配布物を選択する選択部と、選択部によって選択された配布物を取出口まで搬送する搬送部と、搬送された配布物を利用者が取り出すための取出口とを備えたことを特徴とする請求項１記載のプロモーションマシン。
【請求項３】
配布物は、無料で提供される雑誌又は試供品であることを特徴とする請求項１又は２記載のプロモーションマシン。
【請求項４】
配布物の提供数又は／及び配布物の在庫数に関するデータを収集し、プロモーションマシン外のコンピュータへ送信する管理システムを備えた請求項１，２又は３記載のプロモーションマシン。
【発明の詳細な説明】
【技術分野】
【０００１】
本発明は、屋内・屋外を問わず人通りのあるスペース（例えば、街路や通路など）に設置し、当該スペースをプロモーションスポット化するプロモーションマシン（装置）に関するものである。
【背景技術】
【０００２】
街中には様々な広告手法が見受けられるが、その中でも近年よく見かける広告手法としては、以下のようなものがある。
（１）ラッピングバス  …  バスや電車など公共的な乗物の車体に広告を掲載するものであり、身近に接する広告媒体である（特許文献１参照）。
（２）フリーペーパー  …  商店舗内外，街角などに収納ラックが設置され、また、駅構内や地下通路の壁面に収納スペースが設けられ、そこに収納された情報誌を自由に（無料で）持ち帰りできるようにしたものである。
（３）試供品の街頭頒布  …  人通りの多い繁華街や駅前などで、新商品などを広告・宣伝しながら、通行人にその試供品を直接手渡しするものである。
【０００３】
【特許文献１】特許第３６４６１２７号公報
【発明の開示】
【発明が解決しようとする課題】
【０００４】
上記した「ラッピングバス」は人目に付きやすい広告を提供でき、「フリーペーパー」は無料で情報・特典等を入手でき、「試供品の街頭頒布」は実際に商品を手にすることができるため、それぞれ広告効果も高く、優れた広告手法である。
これに対して、本発明者は、これら「ラッピングバス」「フリーペーパー」「試供品の街頭頒布」で得られるような広告効果を１台の装置で実現可能としたこれまでにない新規なプロモーションツールを開発するに至った。
【課題を解決するための手段】
【０００５】
本発明の第１の発明は、屋内・屋外を問わず人通りのあるスペースに設置し、当該スペースをプロモーションスポット化するプロモーションマシンであって、広告の掲載可能な外装部と、配布物を展示する展示部と、展示されている配布物を提供する配布物提供手段とを備えたことを特徴とするものである。
第２の発明は、配布物提供手段が、利用者がその提供を希望する配布物を選択する選択部と、選択部によって選択された配布物を取出口まで搬送する搬送部と、搬送された配布物を利用者が取り出すための取出口とを備えたことを特徴とするものである。
第３の発明は、配布物が、無料で提供される雑誌又は試供品であることを特徴とするものである。ここで「配布物が、無料で提供される雑誌又は試供品であること」は、１台の装置（マシン）で、複数種類の雑誌・試供品を展示・提供すること、或いは、雑誌と試供品を一緒に展示・提供することを妨げるものではない。
第４の発明は、配布物の提供数又は／及び配布物の在庫数に関するデータを収集し、プロモーションマシン外のコンピュータへ送信する管理システムを備えたことを特徴とするものである。
【発明の効果】
【０００６】
本発明によれば、次のような効果を有する。
（１）本発明のプロモーションマシンが、広告の掲載可能な外装部と、配布物を展示する展示部と、展示されている配布物を提供する配布物提供手段とを備えることで、１台の装置（マシン）で「広告の掲載」「広告物（配布物）の展示」「広告物（配布物）の配布」という３つの機能を併せ持つことができる。
（２）１台の装置（マシン）が上記３つの機能を併せ持つことで相乗効果を生み、各の広告効果を更に高めることができる。
（３）本発明のプロモーションマシンを施設遊休スペースに設置することで、施設遊休スペースの収益化を可能とする。
（４）本発明のプロモーションマシンは配布物の提供を自動で行うので、低コストであり、提供時間の制約がなくなる（２４時間対応が可能となる）。
（５）本発明のプロモーションマシンは全天候型なので、配布物の品質管理が充分に行える（屋外に設置されても、配布物を劣化させない）。
（６）本発明のプロモーションマシンが、配布物の提供数又は／及び配布物の在庫数に関するデータを収集し、プロモーションマシン外のコンピュータへ送信する管理システムを備えることで、配布物の提供に関する極めて正確なデータを得ることができる。また、配布物の在庫管理が容易に行える。
【発明を実施するための最良の形態】
【０００７】
本発明の実施形態を図面に基づいて説明する。
図１及び図２は、本発明に係るプロモーションマシンの一例を示す外観図である。なお、図１はサービス提供前の状態、図２はサービス提供時の状態を示す。プロモーションマシン１０は、広告の掲載可能な外装部２０と、配布物を展示する展示部３０と、展示されている配布物を提供する配布物提供手段とを備える。そして、配布物提供手段は、利用者がその提供を希望する配布物を選択する選択部４０と、選択部４０によって選択された配布物を取出口４５まで搬送する搬送部（図示省略）と、搬送された配布物を利用者が取り出すための取出口４５とを備える。なお、プロモーションマシン１０の形状・デザインは、図１及び図２のものに限定されるものではない。
【０００８】
外装部２０は、プロモーションマシン１０の本体表面に該当する部分で、展示部３０，選択部４０，取出口４５を除く本体表面が外装部２０となる。外装部２０には、ラッピングなど既存の手段により広告を掲載することが可能である。
【０００９】
展示部３０は、プロモーションマシン１０の本体フロント面に設けられている。そして、透明な窓体３１の内側に、配布物５０が複数展示されている。配布物５０は、主として無料で提供される雑誌（フリーペーパー）又は試供品（サンプル）であるが、これに限定されるものではない。１台の装置（マシン）で複数種類の雑誌・試供品を展示・提供してもよいし、１種類のみの展示・提供でもよい。展示・提供する配布物の種類・組合せは、広告戦略に基づいて決定される。
【００１０】
展示部３０を見て、配布物５０の提供を希望する利用者は、自己の希望する配布物５０を選択部４０（選択ボタン）で選択する。すると、図示省略する装置（マシン）内の搬送部が当該選択された配送物５０を取出口４５まで搬送する。そして、利用者は取出口４５から配布物５０の提供を受けることができるのである。
【００１１】
図３は、本発明に係るプロモーションマシンの使用状態を示すものである。なお、図２（Ａ）は商店街交差点に設置した状態、同（Ｂ）は商店街店頭に設置した状態を示す。このように、プロモーションマシン１０は全天候型であるため、屋内・屋外を問わず人通りのあるスペースに設置することが可能で、当該スペースをプロモーションスポット化し、収益化を実現する。また、プロモーションマシン１０は、全自動のため、「店舗従業員の監視」を不要にできるコスト上の大きなメリットがある。
【００１２】
図２に示す商店街でこのプロモーションマシン１０に接した通行者は、まず、プロモーションマシン１０の外装部２０に掲載された広告に目がいく。そして、その広告に興味があれば展示部３０に展示されている配布物５０を見て、配布物の提供を欲すればその配布物の提供を受けることができる。プロモーションマシン１０は、１台の装置（マシン）でこれだけの広告機能を備え、極めて広告効果の高いものといえる。一方、利用者にとっても極めて利便性の高いものといえる。
【００１３】
図３は、本発明に係るプロモーションマシンの管理システムを示す概念図である。プロモーションマシン１０は、データ収集可能なコンピュータを搭載し、配布物の提供数又は／及び配布物の在庫数に関するデータを収集する。また、データ通信可能なコンピュータも搭載し、収集したデータをプロモーションマシン外のコンピュータ（ホストコンピュータ６０やモバイルコンピュータ６１など）へ送信する。このような管理システムを備えることで、広告・配布物提供側（広告主・広告代理店）は、どの配布物がどの程度提供されたのか、提供される時間帯・提供される地域差など、これまで正確に収集できなかったデータ（配布数など）やこれまで収集不可能であったデータ（配布時間など）を収集でき、広告戦略・販売戦略の貴重な資料を得られる。また、配布物の補充・在庫管理なども容易になる。
【産業上の利用可能性】
【００１４】
本発明に係るプロモーションマシンは、屋内・屋外を問わず人通りのあるスペースに設置し、当該スペースをプロモーションスポット化するために広く利用することが可能である。また、恒常的な設置の他に、イベントのための一時的な設置にも利用できる。
【図面の簡単な説明】
【００１５】
【図１】本発明に係るプロモーションマシンの外観図（サービス提供前）。
【図２】本発明に係るプロモーションマシンの外観図（サービス提供時）。
【図３】本発明に係るプロモーションマシンの使用図。
【図４】本発明に係るプロモーションマシンの管理システムを示す概念図。
【符号の説明】
【００１６】
１０  プロモーションマシン
２０  外装部
３０  展示部      ３１  窓体
４０  選択部      ４５  取出口
５０  配布物
６０  ホストコンピュータ      ６１  モバイルコンピュータ
【図１】
2007093841.tif 000003
【図２】
2007093841.tif 000004
【図３】
2007093841.tif 000005
【図４】
2007093841.tif 000006